(57)【要約】【課題】複数の歪発生素子が直列または並列に設けられながらも、受信障害等を抑えることが可能となる信号処理回路を提供する。【解決手段】高調波歪を発生させる複数の歪発生素子が直列または並列に設けられ、所定の希望信号を含む受信信号に所定処理を施す信号処理回路であって、前記歪発生素子同士の間に、前記希望信号の前記高調波歪を減衰させるフィルタが設けられた信号処理回路とする。【選択図】図３
2015023334.tif 000002
【特許請求の範囲】
【請求項１】
高調波歪を発生させる複数の歪発生素子が直列または並列に設けられ、所定の希望信号を含む受信信号に所定処理を施す信号処理回路であって、
前記歪発生素子同士の間に、前記希望信号の前記高調波歪を減衰させるフィルタが設けられたことを特徴とする信号処理回路。
【請求項２】
前記希望信号は所定の受信帯域に属した信号であり、
前記フィルタは、
前記希望信号の前記高調波歪であって前記受信帯域には属さないものを、減衰させることを特徴とする請求項１に記載の信号処理回路。
【請求項３】
前記フィルタは、
少なくとも前記希望信号に対する２次高調波歪を減衰させることを特徴とする請求項２に記載の信号処理回路。
【請求項４】
前記歪発生素子はアンプであり、
前記所定処理として増幅処理を施すことを特徴とする請求項２または請求項３に記載の信号処理回路。
【請求項５】
複数個の前記フィルタが設けられ、
何れかの前記フィルタの減衰極が、他の前記フィルタの減衰極と異なるように設定されていることを特徴とする請求項２から請求項４の何れかに記載の信号処理回路。
【請求項６】
前記受信した信号の強度を検出し、
前記検出された強度に応じて、前記フィルタの減衰特性を調節することを特徴とする請求項２から請求項５の何れかに記載の信号処理回路。
【請求項７】
前記受信した信号の強度を検出し、
前記検出された強度が所定の基準値より低い場合に、前記フィルタの入力側と出力側を短絡させることを特徴とする請求項２から請求項５の何れかに記載の信号処理回路。
【請求項８】
前記受信帯域は、所定種の放送に使用される周波数帯域であり、
前記希望信号は、前記放送におけるチャンネルの信号であることを特徴とする請求項２から請求項７の何れかに記載の信号処理回路。
【請求項９】
前記受信帯域が可変であり、
前記受信帯域の変更に応じて、前記フィルタの減衰特性を調節することを特徴とする請求項２から請求項８の何れかに記載の信号処理回路。
【請求項１０】
請求項２から請求項９の何れかに記載の信号処理回路を備え、
前記所定処理が施された信号に対して、前記受信帯域における選局処理を行うことを特徴とするチューナ装置。
【発明の詳細な説明】
【技術分野】
【０００１】
本発明は、信号処理回路およびこれを備えた受信装置に関する。
【背景技術】
【０００２】
従来、所定の希望信号を含む受信信号に所定処理（例えば増幅処理）を行う信号処理回路が広く利用されている。例えばテレビ放送受像機には、受信した放送信号を増幅させて選局処理を行うチューナ装置が用いられる。このようなチューナ装置には、当該増幅を行うための信号処理回路が設けられる。
【０００３】
なお特許文献１には、受信して周波数変換を行った信号の高調波がチューナの受信帯域に重なるため、フィルタを用いて当該高調波を減衰させる回路が例示されている。このようなフィルタを用いることにより、当該高調波が受信帯域に重なることによる悪影響が低減される。
【０００４】
例えば地上波放送用のチューナでは、受信帯域が50〜900MHzと広いため、あるチャンネルの高調波（特に２倍の周波数の高調波）が直接他のチャンネルに重なり、受信障害が多く発生する。このような場合には当該高調波を減衰させることによって、受信障害の発生を低減させることが可能である。
【先行技術文献】
【特許文献】
【０００５】
【特許文献１】特開昭６２−７６９９０号公報
【発明の概要】
【発明が解決しようとする課題】
【０００６】
一方で高調波が受信帯域に重ならない場合には、当該高調波が注意されることは殆どなかった。例えば国内衛星放送用のチューナでは、受信帯域が1032.23〜2070.25MHzと狭く、あるチャンネルの高調波が直接他のチャンネルに重なることは殆どない。そのため基本的に、当該高調波の影響が考慮されることはない。
【０００７】
但しこの場合であっても、例えば複数のアンプが直列または並列に設けられ、各アンプが高調波歪を発生させるケースが有る。このようなケースでは当該高調波歪が受信帯域に重ならなくても、受信障害等の原因となる場合がある。
【０００８】
すなわち前段側のアンプが希望信号（あるチャンネルの信号）の２次高調波歪を発生させた場合、この２次高調波歪自体は受信帯域に重ならない。しかし前段側のアンプの出力信号が後段側のアンプに入力されると、後段側のアンプにおいて、希望信号と上述の２次高調波歪の合成による３次高調波歪が発生する。この３次高調波歪は、希望信号に重なるように発生してしまうため、受信障害等の原因となり得る。
【０００９】
このように複数のアンプが直列または並列に設けられた回路においては、希望信号と前段側の高調波歪が後段側のアンプで合成されることにより、受信障害等が問題となる。なお上記では、高調波歪を発生させる素子（本願では便宜的に「歪発生素子」と称することがある）としてアンプを例に挙げたが、その他の歪発生素子の場合にも同様のことが問題となり得る。
【００１０】
本発明は上述した問題点に鑑み、複数の歪発生素子が直列または並列に設けられながらも、受信障害等を抑えることが可能となる信号処理回路、およびチューナ装置の提供を目的とする。
【課題を解決するための手段】
【００１１】
本発明に係る信号処理回路は、高調波歪を発生させる複数の歪発生素子が直列または並列に設けられ、所定の希望信号を含む受信信号に所定処理を施す信号処理回路であって、前記歪発生素子同士の間に、前記希望信号の前記高調波歪を減衰させるフィルタが設けられた構成とする。本構成によれば、複数の歪発生素子が直列または並列に設けられながらも、受信障害等を抑えることが可能となる。
【００１２】
また上記構成としてより具体的には、前記希望信号は所定の受信帯域に属した信号であり、前記フィルタは、前記希望信号の前記高調波歪であって前記受信帯域には属さないものを、減衰させる構成としてもよい。
【００１３】
また上記構成としてより具体的には、前記フィルタは、少なくとも前記希望信号に対する２次高調波歪を減衰させる構成としてもよい。本構成によれば、受信障害等の不具合を十分に抑えることが可能となる。
【００１４】
また上記構成としてより具体的には、前記歪発生素子はアンプであり、前記所定処理として増幅処理を施す構成としてもよい。本構成によれば、例えばチューナ用ＩＣ等に十分な大きさの信号を供給することが容易となる。
【００１５】
また上記構成としてより具体的には、複数個の前記フィルタが設けられ、何れかの前記フィルタの減衰極が、他の前記フィルタの減衰極と異なるように設定されている構成としてもよい。本構成によれば、広い周波数範囲において減衰を得ることが可能となる。
【００１６】
また上記構成としてより具体的には、前記受信した信号の強度を検出し、前記検出された強度に応じて、前記フィルタの減衰特性を調節する構成としてもよい。本構成によれば、例えば当該フィルタの重要性が低い場合に、受信信号のレベル低下等を抑えることが容易となる。
【００１７】
また上記構成としてより具体的には、前記受信した信号の強度を検出し、前記検出された強度が所定の基準値より低い場合に、前記フィルタの入力側と出力側を短絡させる構成としてもよい。本構成によれば、例えば当該フィルタの重要性が低い場合に、受信信号の劣化等を大きく抑えることが容易となる。
【００１８】
また上記構成としてより具体的には、前記受信帯域は、所定種の放送に使用される周波数帯域であり、前記希望信号は、前記放送におけるチャンネルの信号である構成としてもよい。本構成によれば、例えば当該放送用のチューナと一緒に設ける増幅回路等として、好適となる。また上記構成としてより具体的には、前記受信帯域が可変であり、前記受信帯域の変更に応じて、前記フィルタの減衰特性を調節する構成としてもよい。
【００１９】
また本発明に係るチューナ装置は、上記構成の信号処理回路を備え、前記所定処理が施された信号に対して、前記受信帯域における選局処理を行う構成とする。本構成によれば、上記構成の信号処理回路における利点を享受することが可能となる。
【発明の効果】
【００２０】
本発明に係る信号処理回路によれば、複数の歪発生素子が直列または並列に設けられながらも、受信障害等を抑えることが可能となるとなる。また本発明に係るチューナ装置によれば、本発明に係る信号処理回路の利点を享受することが可能となる。
【図面の簡単な説明】
【００２１】
【図１】第１実施形態に係るチューナ装置の構成図である。
【図２】直列接続部分に設けられた高調波歪フィルタの周辺の構成図である。
【図３】第１〜第４の各段階における信号状態に関する説明図である。
【図４】第２段階における信号状態に関する説明図である。
【図５】第３段階における信号状態に関する説明図である。
【図６】第４段階における信号状態に関する説明図である。
【図７】並列接続部分に設けられた高調波歪フィルタの周辺の構成図である。
【図８】直列接続部分に設けられた高調波歪フィルタの構成例の説明図である。
【図９】直列接続部分に設けられた高調波歪フィルタの構成例の説明図である。
【図１０】直列接続部分に設けられた高調波歪フィルタの構成例の説明図である。
【図１１】並列接続部分に設けられた高調波歪フィルタの構成例の説明図である。
【図１２】並列接続部分に設けられた高調波歪フィルタの構成例の説明図である。
【図１３】並列接続部分に設けられた高調波歪フィルタの構成例の説明図である。
【図１４】第２実施形態に係るチューナ装置の部分的な構成図である。
【図１５】第２実施形態に係る別のチューナ装置の部分的な構成図である。
【発明を実施するための形態】
【００２２】
本発明の実施形態について第１実施形態および第２実施形態を例に挙げ、各図面を参照しながら以下に説明する。
【００２３】
１．第１実施形態
［チューナ装置の構成等］
まず第１実施形態について説明する。図１は、本実施形態に係るチューナ装置１の構成図である。本図に示すようにチューナ装置１は、アンテナ１１およびフィルタ１２を備えるとともに、複数個のアンプ（Ａ１〜Ａ１３）、複数個の分配器（Ｄ１〜Ｄ７）を備えている。なおチューナ装置１は、後述する高調波歪フィルタをも備えているが、図１では図示を省略している。
【００２４】
またチューナ装置１は、８個のチューナ用ＩＣ（ＩＣ１〜ＩＣ８）を有するマルチチューナ構成となっている。一部のアンプ（Ａ６〜Ａ１３）は、これらのチューナ用ＩＣにそれぞれ内蔵されている。
【００２５】
なお本実施形態では一例として、各チューナ用ＩＣ（ＩＣ１〜ＩＣ８）は、国内衛星放送用のチューナとして機能するものとする。すなわち各チューナ用ＩＣ（ＩＣ１〜ＩＣ８）は、所定の受信帯域Ｒｒ（当該放送の周波数帯域である1032.23〜2070.25MHz）における選局処理を行い、当該放送における所望のチャンネル（例えばユーザに指定されたチャンネル）の信号を抽出する。
【００２６】
アンテナ１１は、フィルタ１２を介してアンプＡ１の入力側に接続されている。アンプＡ１の出力側は、分配器Ｄ１と分配器Ｄ２を介して、アンプＡ２の入力側およびアンプＡ３の入力側に接続されている。またアンプＡ１の出力側は、分配器Ｄ１と分配器Ｄ３を介して、アンプＡ４の入力側およびアンプＡ５の入力側に接続されている。
【００２７】
アンプＡ２の出力側は、分配器Ｄ４を介して、アンプＡ６の入力側およびアンプＡ７の入力側に接続されている。アンプＡ３の出力側は、分配器Ｄ５を介して、アンプＡ８の入力側およびアンプＡ９の入力側に接続されている。アンプＡ４の出力側は、分配器Ｄ６を介して、アンプＡ１０の入力側およびアンプＡ１１の入力側に接続されている。アンプＡ５の出力側は、分配器Ｄ７を介して、アンプＡ１２の入力側およびアンプＡ１３の入力側に接続されている。
【００２８】
アンテナ１１は、放送局からの放送信号の受信に用いられる。チューナ装置１はアンテナ１１を介して、受信帯域Ｒｒに属する各希望信号Ｓｒ（国内衛星放送における各チャンネルの信号）を受信する。受信された信号（受信信号）は、フィルタ１２に送出される。
【００２９】
フィルタ１２は、アンテナ１１から受けた受信信号に対して、不要な成分（通常は受信帯域Ｒｒ以外の成分）を減衰させるようにフィルタ処理を施す。このフィルタ処理が施された受信信号は、アンプＡ１に送出される。
【００３０】
各アンプ（Ａ１〜Ａ１３）は、信号を受けた際に当該信号を増幅させて出力する。また各アンプ（Ａ１〜Ａ１３）は当該信号を増幅させるとともに、特に受信強度が高いときには、当該信号の高調波歪を発生させる。なおこの受信強度が十分に低いとき（弱電界等のとき）には、当該高調波歪は非常に小さく、通常は殆ど問題とはならない。
【００３１】
フィルタ１２と各チューナ用ＩＣ（ＩＣ１〜ＩＣ８）の間には２個のアンプが直列に設けられており、各チューナ用ＩＣ（ＩＣ１〜ＩＣ８）には、当該２個のアンプによって増幅された信号が入力されることになる。そして各チューナ用ＩＣ（ＩＣ１〜ＩＣ８）は、内蔵されているアンプを用いて、入力された信号を更に増幅させる。
【００３２】
例えばチューナ用ＩＣ（ＩＣ１）には、アンプＡ１およびアンプＡ２によって増幅された信号が入力される。そしてチューナ用ＩＣ（ＩＣ１）は、内蔵されているアンプＡ６を用いて、入力された信号を更に増幅させる。このように多段階に信号増幅が行われることにより、各チューナ用ＩＣ（ＩＣ１〜ＩＣ８）は十分な大きさの信号を得ることができ、選局処理を適切に行うことが可能である。
【００３３】
ところでチューナ装置１においては、アンプ同士が直列に接続されている部分（以下、「直列接続部分」と称する）、および、アンプ同士が並列に接続されている部分（以下、「並列接続部分」と称する）が、それぞれ複数箇所存在する。
【００３４】
直列接続部分を形成するアンプの組合せとしては、アンプＡ１とアンプＡ２、アンプＡ１とアンプＡ３、アンプＡ１とアンプＡ４、アンプＡ１とアンプＡ５、アンプＡ２とアンプＡ６、アンプＡ２とアンプＡ７、アンプＡ３とアンプＡ８、アンプＡ３とアンプＡ９、アンプＡ４とアンプＡ１０、アンプＡ４とアンプＡ１１、アンプＡ５とアンプＡ１２、およびアンプＡ５とアンプＡ１３、の各組合せが存在する。
【００３５】
また並列接続部分を形成するアンプの組合せとしては、アンプＡ２とアンプＡ３、アンプＡ２とアンプＡ４、アンプＡ２とアンプＡ５、アンプＡ３とアンプＡ４、アンプＡ３とアンプＡ５、アンプＡ４とアンプＡ５、アンプＡ６とアンプＡ７、アンプＡ８とアンプＡ９、アンプＡ１０とアンプＡ１１、およびアンプＡ１２とアンプＡ１３、の各組合せが存在する。
【００３６】
そしてチューナ装置１においては、少なくとも直列接続部分の何れか一箇所以上、或いは並列接続部分の何れか一箇所以上に、高調波歪フィルタが設けられている。なお高調波歪フィルタは、直列接続部分と並列接続部分の双方に設けられていても良い。高調波歪フィルタの減衰特性は、希望信号Ｓｒの高調波歪を減衰させるように設定されている。
【００３７】
［高調波歪フィルタの役割］
次に、高調波歪フィルタの役割等について、直列接続部分に設けられた場合と並列接続部分に設けられた場合に分けて説明する。なお以下の説明では、各アンプ（Ａ１〜Ａ１３）が発生させる高調波歪が問題となる程度に、受信強度が高い状況を想定する。
【００３８】
先ず、直列接続部分に設けられた高調波歪フィルタの役割等について説明する。図２は、直列接続部分に設けられた高調波歪フィルタＦｔ１の周辺構成を表している。なおここでは、分配器については図示を省略している。高調波歪フィルタＦｔ１は、互いに直列接続された前段側アンプＡ−ｐと後段側アンプＡ−ｑの間に設けられている。なお図２に示す実線矢印は、受信信号の進行方向を示している。受信信号は、前段側アンプＡ−ｐ、高調波歪フィルタＦｔ１、および後段側アンプＡ−ｑを順に通るように進行する。
【００３９】
図３は、第１〜第４の各段階における信号状態を模式的に表している。なおここでは説明を簡潔にするため１チャンネル分の希望信号Ｓｒだけを考え、４次以上の高調波歪を考えないこととする。また図３に示す第１〜第４の各段階は、図２に示した各段階に対応している。
【００４０】
すなわち第１段階は、受信信号が前段側アンプＡ−ｐに入力される前の段階であり、第２段階は、受信信号が前段側アンプＡ−ｐから出力されて高調波歪フィルタＦｔ１に入力される前の段階である。また第３段階は、受信信号が高調波歪フィルタＦｔ１から出力されて後段側アンプＡ−ｑに入力される前の段階であり、第４段階は、受信信号が後段側アンプＡ−ｑから出力された段階である。
【００４１】
図３に示すように、第１段階の信号には希望信号Ｓｒが含まれ、アンプによる高調波歪は未だ含まれていない。前段側アンプＡ−ｐを経た第２段階では、希望信号Ｓｒが増幅されている。そして更に第２段階の信号には、前段側アンプＡ−ｐで発生した希望信号Ｓｒの２次高調波歪Ｓ１−ａおよび３次高調波歪Ｓ１−ｂが含まれる。３次高調波歪Ｓ１−ｂの周波数は、希望信号Ｓｒの周波数と重なる。なお３次高調波歪のうち、希望信号Ｓｒの３倍の周波数の成分については、図示を省略している。
【００４２】
ここで高調波歪フィルタＦｔ１の減衰特性は、図３に一点鎖線で示すように、２次高調波歪Ｓ１−ａを減衰させるように設定されている。そのため高調波歪フィルタＦｔ１を経た第３段階では、高調波歪フィルタＦｔ１が行うフィルタ処理によって、２次高調波歪Ｓ１−ａが抑制される。
【００４３】
後段側アンプＡ−ｑを経た第４段階では、希望信号Ｓｒが更に増幅されている。そして更に第４段階の信号には、先述の３次高調波歪Ｓ１−ｂに加え、後段側アンプＡ−ｑで発生した希望信号Ｓｒの２次高調波歪Ｓ２−ａおよび３次高調波歪Ｓ２−ｂが含まれる。３次高調波歪Ｓ２−ｂの周波数は、希望信号Ｓｒの周波数と重なる。
【００４４】
ここで仮に高調波歪フィルタＦｔ１が設けられていないとすれば、第３段階においても、前段側アンプＡ−ｐで発生した２次高調波歪Ｓ１−ａが、ほぼそのまま残留することになる。そして後段側アンプＡ−ｑでは、この２次高調波歪Ｓ１−ａと希望信号Ｓｒの合成による３次高調波歪Ｓ２−ｃが発生する。すなわち高調波歪フィルタＦｔ１が設けられていない場合には、図３に破線で示す歪が発生していたことになる。
【００４５】
しかし高調波歪フィルタＦｔ１が設けられることにより、これらの歪は抑制される。そのため高調波歪フィルタＦｔ１が設けられる場合には、設けられない場合に比べて３次高調波歪Ｓ２−ｃが抑制される分、希望信号Ｓｒに重なる歪（帯域内歪）は抑制される。このように高調波歪フィルタＦｔ１は、希望信号Ｓｒに影響する歪を抑制し、受信障害等を抑える役割を果たす。
【００４６】
なお図３の例における高調波歪フィルタＦｔ１の減衰特性は、２次高調波歪Ｓ１−ａを抑制するように設定されているが、より高次の高調波歪についても抑制するように設定され得る。このことを理解容易とするため、一例として５次までの高調波歪を考慮するケースについて説明する。
【００４７】
このケースでの第２段階の信号には、図４に示すように、前段側アンプＡ−ｐで発生した希望信号Ｓｒの２次高調波歪Ｓ１−ａ、３次高調波歪Ｓ１−ｂ（希望信号Ｓｒに重なる成分）、３次高調波歪Ｓ１−ｃ（希望信号Ｓｒの３倍の周波数の成分）、４次高調波歪Ｓ１−ｄ、および５次高調波歪Ｓ１−ｅが含まれる。
【００４８】
ここで高調波歪フィルタＦｔ１の減衰特性は、図５に一点鎖線で示すように、２次高調波歪Ｓ１−ａ、３次高調波歪Ｓ１−ｃ、４次高調波歪Ｓ１−ｄ、および５次高調波歪Ｓ１−ｅを減衰させるように設定されている。そのため高調波歪フィルタＦｔ１を経た第３段階では、図５に示すように、高調波歪フィルタＦｔ１が行うフィルタ処理によって、これらの高調波歪（Ｓ１−ａ、Ｓ１−ｃ、Ｓ１−ｄ、Ｓ１−ｅ）が抑制される。
【００４９】
ここで仮に高調波歪フィルタＦｔ１が設けられていないとすれば、第４段階の信号には希望信号Ｓｒと重なるように、後段側アンプＡ−ｑで発生する各高調波歪（Ｓ２−ｃ〜Ｓ２−ｆ）が含まれることになる。すなわち高調波歪フィルタＦｔ１が設けられていない場合には、図６に破線で示す歪が発生していたことになる。
【００５０】
なお高調波歪Ｓ２−ｃは、希望信号Ｓｒと前段側アンプＡ−ｐでの２次高調波歪Ｓ１−ａの合成により発生した３次高調波歪である。また高調波歪Ｓ２−ｄは、前段側アンプＡ−ｐでの２次高調波歪Ｓ１−ａと３次高調波歪Ｓ１−ｃの合成により発生した５次高調波歪である。また高調波歪Ｓ２−ｅは、前段側アンプＡ−ｐでの３次高調波歪Ｓ１−ｃと４次高調波歪Ｓ１−ｄの合成により発生した７次高調波歪である。また高調波歪Ｓ２−ｆは、前段側アンプＡ−ｐでの４次高調波歪Ｓ１−ｄと５次高調波歪Ｓ１−ｅの合成により発生した９次高調波歪である。すなわち後段側アンプＡ−ｑでは、前段側アンプＡ−ｐでのＮ次高調波歪とＮ＋１次高調波歪の合成により、希望信号Ｓｒに重なる高調波が発生する。なおＮは正の整数であり、Ｎ＝１の場合のＮ次高調波歪を希望信号Ｓｒとする。
【００５１】
しかし高調波歪フィルタＦｔ１が設けられることにより、これらの高調波歪（Ｓ２−ｃ〜Ｓ２−ｆ）は抑制される。そのため高調波歪フィルタＦｔ１が設けられる場合には、設けられない場合に比べてこれらの高調波歪（Ｓ２−ｃ〜Ｓ２−ｆ）が抑制される分、希望信号Ｓｒに重なる歪（帯域内歪）は抑制される。このように高調波歪フィルタＦｔ１の減衰特性をより高次の高調波歪についても抑制するように設定しておき、希望信号Ｓｒに重なるより高次の高調波歪をも抑制することが可能である。なお、高次の高調波歪を必ずしも全てを抑制する必要はなく、次数の隣り合う高調波歪が残存しないように、とびとびの次数の高調波を抑制する設計でも、目的を達成できる。例えば、Ｓ１−ａ、Ｓ１−ｄが十分に抑制されていれば、Ｓ１−ｃやＳ１−ｅが残っていても３次高調波や５次高調波、７次高調波は発生しない。
【００５２】
次に、並列接続部分に設けられた高調波歪フィルタの役割等について説明する。図７は、並列接続部分に設けられた高調波歪フィルタＦｔ２および高調波歪フィルタＦｔ３の周辺構成を表している。なお図７に示す分配器Ｄは、先述した各分配器（Ｄ１〜Ｄ７）のうちの何れかである。例えば前段側アンプＡ−ｘがアンプＡ２であり、後段側アンプＡ−ｙがアンプＡ３である場合には、分配器Ｄ２が分配器Ｄに該当する。
【００５３】
各高調波歪フィルタ（Ｆｔ２、Ｆｔ３）は、互いに並列接続された前段側アンプＡ−ｘと後段側アンプＡ−ｙの間に設けられている。より具体的には、高調波歪フィルタＦｔ２は、分配器Ｄと前段側アンプＡ−ｘの間に設けられ、高調波歪フィルタＦｔ３は、分配器Ｄと後段側アンプＡ−ｙの間に設けられている。
【００５４】
なおここでは、一方のアンプの入力側で反射する信号（反射信号）が他方のアンプの入力側に入ることを想定して、反射信号を出す側のアンプを前段側アンプＡ−ｘとし、反射信号を受ける側のアンプを後段側アンプＡ−ｙとする。また図７の例では、高調波歪フィルタＦｔ２と高調波歪フィルタＦｔ３の両方が設けられているが、何れか一方が省略されても良い。高調波歪フィルタを分岐の一方だけに設けるか、或いは両方に設けるかについては、回路特性やコストのバランス等を考慮して適切に決定され得る。
【００５５】
また図７において、実線矢印は前段側アンプＡ−ｘに向かう受信信号の進行方向を示しており、破線矢印は前段側アンプＡ−ｘから出る反射信号の進行方向を示している。反射信号は前段側アンプＡ−ｘから、高調波歪フィルタＦｔ２、分配器Ｄ、高調波歪フィルタＦｔ３、および後段側アンプＡ−ｑを順に通るように進行する。
【００５６】
また図７に示す第１段階は、受信信号が前段側アンプＡ−ｘに入力される前の段階であり、第２段階は、反射信号が前段側アンプＡ−ｘから出て高調波歪フィルタＦｔ２に入る前の段階である。また第３段階は、反射信号が高調波歪フィルタＦｔ３から出て後段側アンプＡ−ｙに入る前の段階であり、第４段階は、反射信号が後段側アンプＡ−ｙから出た段階である。
【００５７】
図７に示す第１〜第４の各段階における信号状態は、基本的に図３に示す状態と同様である。このように並列接続部分に設けられた高調波歪フィルタも、基本的には、直列接続部分に設けられた高調波歪フィルタと同等の役割を果たす。
【００５８】
具体的に説明すると、第１段階の信号には希望信号Ｓｒが含まれ、アンプによる高調波歪は未だ含まれていない。そして前段側アンプＡ−ｘに受信信号が入力されると、希望信号Ｓｒが増幅されるとともに、希望信号Ｓｒの２次高調波歪Ｓ１−ａおよび３次高調波歪Ｓ１−ｂが発生する。
【００５９】
前段側アンプＡ−ｘに入力された信号の一部は、反射信号として分配器Ｄ側へ戻るように進む。この反射信号、すなわち第２段階の信号にも、２次高調波歪Ｓ１−ａおよび３次高調波歪Ｓ１−ｂが含まれる。しかし高調波歪フィルタ（Ｆｔ２、Ｆｔ３）の減衰特性は、２次高調波歪Ｓ１−ａを減衰させるように設定されている。そのため第３段階では、高調波歪フィルタ（Ｆｔ２、Ｆｔ３）が行うフィルタ処理によって、反射信号に含まれる２次高調波歪Ｓ１−ａが抑制される。
【００６０】
その結果、後段側アンプＡ−ｙにおける、２次高調波歪Ｓ１−ａと希望信号Ｓｒの合成による３次高調波歪Ｓ２−ｃの発生が抑えられる。このように高調波歪フィルタ（Ｆｔ２、Ｆｔ３）が設けられる場合には、設けられない場合に比べて３次高調波歪Ｓ２−ｃが抑制される分、希望信号Ｓｒに重なる歪（帯域内歪）は抑制される。
【００６１】
なお、高調波歪フィルタ（Ｆｔ２、Ｆｔ３）の減衰特性をより高次の高調波歪についても抑制するように設定しておき、希望信号Ｓｒに重なるより高次の高調波歪をも抑制し得る点は、直列接続部分に設けられた高調波歪フィルタの場合と同様である。
【００６２】
［高調波歪フィルタの構成例］
高調波歪フィルタの具体的構成については、上述した役割を果たし得る限り、様々な形態とすることが可能である。例えば高調波歪フィルタは、ＢＲＦ［Band Rejection Filter］、ＢＰＦ［Band Pass Filter］、各種減衰器、およびこれらの組合せ等によって構成され得る。以下、高調波歪フィルタの構成例について、直列接続部分に設けられた場合と並列接続部分に設けられた場合に分けて説明する。
【００６３】
図８から図１０の各図は、直列接続部分に設けられた高調波歪フィルタの具体的な構成例を示している。図８に示す高調波歪フィルタＦｔ１は、各アンプ（Ａ−ｐ、Ａ−ｑ）の間にコンデンサＣ１とコイルＬ１を並列に設け、ＬＣ並列共振回路を形成させた例である。この高調波歪フィルタＦｔ１は、ＢＲＦとして機能する。
【００６４】
なおこの高調波歪フィルタＦｔ１において、3.39GHzを中心に減衰させる減衰特性を得る場合には、例えば1pFのコンデンサＣ１と2.2nHのコイルＬ１が用いられ、共振周波数が3.39GHzに設定される。この例では、3.39GHzを中心に3〜4.3GHzの信号が減衰する。この範囲は1.5〜2.15GHzの２倍であり、当該高周波歪フィルタＦｔ１によれば、1.5〜2.15GHzのチャンネルでの希望信号Ｓｒに重なる高調波歪（先述した３次高調波歪Ｓ２−ｃ等）を、抑制することが可能となる。
【００６５】
また図９に示す高調波歪フィルタＦｔ１は、コンデンサＣ２とコイルＬ２を直列に接続してＬＣ直列共振回路を形成させた例である。なおコンデンサＣ２の一端は各アンプ（Ａ−ｐ、Ａ−ｑ）の間に接続され、コンデンサＣ２の他端はコイルＬ２を介して接地されている。なおこの高調波歪フィルタＦｔ１において、3.39GHzを中心に減衰させる減衰特性を得る場合には、例えば1pFのコンデンサＣ２と2.2nHのコイルＬ２が用いられ、共振周波数が3.39GHzに設定される。
【００６６】
また図１０に示す高調波歪フィルタＦｔ１は、λ／４オープンスタブのマイクロストリップラインＭｓを設けた例である。この高調波歪フィルタＦｔ１においても所定の設定（λ＝ｃ/ｆ、ｃ＝3.0×108m/s、ｆ=3.39GHz）としておき、3.39GHzを中心に減衰させる減衰特性を得ることが可能である。
【００６７】
また図１１から図１３の各図は、並列接続部分に設けられた高調波歪フィルタの具体的な構成例を示している。なお図１１に示す例は、高調波歪フィルタＦｔ２を設置して、高調波歪フィルタＦｔ３の設置を省略した場合の例であり、図１２および図１３に示す例は、高調波歪フィルタＦｔ２と高調波歪フィルタＦｔ３の両方を設置した場合の例である。
【００６８】
図１１に示す高調波歪フィルタＦｔ２は、アンプＡ−ｘと分配器Ｄの間にコンデンサＣ３とコイルＬ３を並列に設け、ＬＣ並列共振回路を形成させた例である。この高調波歪フィルタＦｔ２は、ＢＲＦとして機能する。なおこの高調波歪フィルタＦｔ２において、3.75GHzを中心に減衰させる減衰特性を得る場合には、例えば1pFのコンデンサＣ３と1.8nHのコイルＬ３が用いられ、共振周波数が3.75GHzに設定される。
【００６９】
図１２に示す高調波歪フィルタＦｔ２は、分配器ＤとアンプＡ−ｘの間にコンデンサＣ４とコイルＬ４を並列に設け、ＬＣ並列共振回路を形成させた例である。また図１２に示す高調波歪フィルタＦｔ３は、分配器ＤとアンプＡ−ｙの間にコンデンサＣ５とコイルＬ５を並列に設け、ＬＣ並列共振回路を形成させた例である。
【００７０】
図１３に示す高調波歪フィルタＦｔ２は、コンデンサＣ６とコイルＬ６を直列に接続してＬＣ直列共振回路を形成させた例である。コンデンサＣ６の一端は分配器ＤとアンプＡ−ｘの間に接続され、コンデンサＣ６の他端はコイルＬ６を介して接地されている。また図１３に示す高調波歪フィルタＦｔ３は、コンデンサＣ７とコイルＬ７を直列に接続してＬＣ直列共振回路を形成させた例である。コンデンサＣ７の一端は分配器ＤとアンプＡ−ｙの間に接続され、コンデンサＣ７の他端はコイルＬ７を介して接地されている。
【００７１】
なおこのように複数個の高調波歪フィルタが設けられる場合、何れかの高調波歪フィルタの減衰極（減衰がピークとなる周波数）が、他の高調波歪フィルタの減衰極と異なるように設定されても良い。例えば図１２および図１３の例において、高調波歪フィルタＦｔ２の減衰極が、高調波歪フィルタＦｔ３の減衰極と異なるように設定されても良い。この場合には、広い周波数範囲において減衰を得ることが可能となる。
【００７２】
例えば図１２の例において、1pFのコンデンサＣ４、1.8nHのコイルＬ４、1pFのコンデンサＣ５、および3.3nHのコイルＬ５が用いられると、高調波歪フィルタＦｔ２の共振周波数が3.75GHzとなり、高調波歪フィルタＦｔ３の共振周波数が2.77GHzとなる。また同じく図１３の例において、1pFのコンデンサＣ６、1.8nHのコイルＬ６、1pFのコンデンサＣ７、および3.3nHのコイルＬ７が用いられると、高調波歪フィルタＦｔ２の共振周波数が3.75GHzとなり、高調波歪フィルタＦｔ３の共振周波数が2.77GHzとなる。
【００７３】
これらの場合では、1.385（=2.77/2）〜1.875（=3.75/2）GHzを中心とした広い周波数範囲のチャンネルでの希望信号Ｓｒに重なる高調波歪（先述した３次高調波歪Ｓ２−ｃ等）を、抑制することが可能となる。
【００７４】
なお図１２や図１３の例等において、高調波歪フィルタＦｔ２の減衰極が、高調波歪フィルタＦｔ３の減衰極と同一となるように設定されても良い。この場合には減衰が得られる周波数範囲は狭くなるが、減衰極の近くにおいて深い減衰を得ることが可能となる。
【００７５】
２．第２実施形態
次に第２実施形態について説明する。なお第２実施形態は、高調波歪フィルタに関する所定動作を行う点を除き、基本的には第１実施形態と同様である。以下の説明では、第１実施形態と異なる点の説明に重点をおき、共通する点については説明を省略することがある。また以下の説明では、直列接続部分や並列接続部分に設けられる高調波歪フィルタ（Ｆｔ１〜Ｆｔ３）を、高調波歪フィルタＦｔと総称する。
【００７６】
既に説明した通り、チューナ装置１において受信強度が十分に低いときには、各アンプが発生させる高調波歪は非常に小さく、通常は殆ど問題にならない。そのためこのときには、高調波歪フィルタＦｔの重要性は低くなり、場合によっては不要となる。
【００７７】
第２実施形態のチューナ装置１は、このような状況下で高調波歪フィルタに起因する受信信号のレベル低下等が極力抑えられるように、高調波歪フィルタＦｔの特性の調節等が実行される。
【００７８】
図１４は、第２実施形態に係るチューナ装置１の構成図であって、第１実施形態と異なる部分およびその周辺を抜粋した部分的な構成図である。本図に示すようにチューナ装置１は、受信強度検出部１３を更に備えている。
【００７９】
受信強度検出部１３は、アンテナ１１の後段側に設けられており、アンテナ１１を介して受信した信号の強度（受信強度）を検出する。なお受信強度検出部１３は、アンテナ１１からフィルタ１２への受信信号の伝送を阻害しないように形成されている。
【００８０】
また受信強度検出部１３は、検出された受信強度に応じて、高調波歪フィルタＦｔの減衰特性を調節するようになっている。例えば受信強度検出部１３は、検出された受信強度が所定の基準値より低いときに、一部または全部の周波数における減衰率が小さくなるように、高調波歪フィルタＦｔの減衰特性を調節する。或いは受信強度検出部１３は、検出された受信強度が所定の基準値より低いときに、殆ど減衰を生じさせないように（つまり高調波歪フィルタＦｔがほぼ無効化されるように）、高調波歪フィルタＦｔの減衰特性を調節する。この調節は、例えば高調波歪フィルタＦｔがＬＣ共振回路により形成されている場合、コイル（Ｌ）或いはコンデンサ（Ｃ）の特性の変更等により実現される。
【００８１】
このように高調波歪フィルタＦｔの減衰特性が調節されると、高調波歪フィルタＦｔが受信信号に及ぼす影響は小さくなる。その結果、当該調節が行われない場合に比べ、受信信号のレベル低下等が抑えられる。なお受信強度検出部１３は、上述した減衰特性の調節を、チューナ装置１に設けられた全ての高調波歪フィルタＦｔに対して行うようにしても良く、一部の高調波歪フィルタＦｔに対して行うようにしても良い。
【００８２】
またチューナ装置１は、検出された受信強度が所定の基準値より低い場合に、高調波歪フィルタの入力側と出力側を短絡させる構成であっても良い。図１５は、このような構成とされたチューナ装置１の構成図であって、第１実施形態と異なる部分およびその周辺を抜粋した部分的な構成図である。本図に示すようにチューナ装置１は、受信強度検出部１３およびスイッチＳｗを更に備えている。
【００８３】
スイッチＳｗは、高調波歪フィルタＦｔの入力側と出力側の間に設けられている。スイッチＳｗが閉状態となることにより、高調波歪フィルタＦｔの入力側と出力側は短絡し、高調波歪フィルタＦｔはほぼ無効化される。
【００８４】
また図１５に示す受信強度検出部１３は、スイッチＳｗの開閉を制御することが可能である。受信強度検出部１３は、検出された受信強度が所定の基準値より高い場合には、スイッチＳｗを開状態とするが、当該基準値より低い場合には、スイッチＳｗを閉状態とする。このようにして高調波歪フィルタＦｔの入力側と出力側が短絡されると、高調波歪フィルタＦｔが受信信号に及ぼす影響は非常に小さくなる。
【００８５】
その結果、当該短絡が行われない場合に比べ、受信信号のレベル低下等が大きく抑えられる。なお受信強度検出部１３は、上述した入力側と出力側の短絡を、チューナ装置１に設けられた全ての高調波歪フィルタＦｔに対して行うようにしても良く、一部の高調波歪フィルタＦｔに対して行うようにしても良い。
【００８６】
３．その他
以上に説明したチューナ装置１は、希望信号Ｓｒを含む受信信号に増幅処理（所定処理）を施す信号処理回路を備えている。この信号処理回路は、高調波歪を発生させる複数の歪発生素子が直列または並列に設けられ、歪発生素子同士の間に、希望信号Ｓｒの高調波歪を減衰させる高調波歪フィルタＦｔが設けられている。
【００８７】
当該信号処理回路によれば、複数の歪発生素子が直列または並列に設けられながらも、受信障害等を抑えることが可能である。なお本実施形態ではアンプが歪発生素子に該当するが、歪発生素子は他種の素子であっても良い。
【００８８】
また希望信号Ｓｒは受信帯域Ｒｒに属した信号であり、高調波歪フィルタＦｔは、希望信号Ｓｒの高調波歪であって受信帯域Ｒｒには属さないものを、減衰させるようになっている。すなわち本実施形態の例では受信帯域Ｒｒは1032.23〜2070.25MHzであり、希望信号Ｓｒの２次高調波歪等は受信帯域Ｒｒにはほとんど重ならない（受信帯域Ｒｒに属する他の希望信号にほとんど重ならない）が、高調波歪フィルタＦｔは、このような２次高調波歪等を減衰させる。
【００８９】
一般的に、受信帯域に属さない高調波歪については殆ど注意されないが、本実施形態ではこういった高調波歪についても減衰させ、受信障害等を抑える。すなわち本実施形態の信号処理回路は、従来には無い観点による工夫が施され、受信障害等が抑えられるようになっている。なおチューナ装置１において受信帯域Ｒｒが可変である場合には、受信帯域Ｒｒの変更に合わせて、高調波歪フィルタＦｔの減衰特性が調節されるようになっていても良い。
【００９０】
またチューナ装置１における受信障害等は、希望信号の各高調波歪が要因となり得るが、特に２次高調波歪が最も重大な要因となる。そのため高調波歪フィルタは、少なくとも希望信号の２次高調波歪を減衰させるように設定されていることが望ましい。これにより、受信障害等の不具合を十分に抑えることが可能となる。
【００９１】
また前記受信帯域は、所定種の放送に使用される周波数帯域であり、前記希望信号は、前記放送におけるチャンネルの信号である。そのため本実施形態の信号処理回路は、当該放送用のチューナと一緒に設ける増幅回路等として、好適である。またチューナ装置１は上述した信号処理回路を備え、信号処理回路により増幅処理が施された信号に対して、受信帯域Ｒｒにおける選局処理を行うようになっている。
【００９２】
また本発明の構成は、上記実施形態のほか、発明の主旨を逸脱しない範囲で種々の変更を加えることが可能である。すなわち、上記実施形態は、全ての点で例示であって、制限的なものではないと考えられるべきである。本発明の技術的範囲は、上記実施形態の説明ではなく、特許請求の範囲によって示されるものであり、特許請求の範囲と均等の意味及び範囲内に属する全ての変更が含まれると理解されるべきである。また本発明はチューナ装置等に利用することができる。
【符号の説明】
【００９３】
１      チューナ装置
１１    アンテナ
１２    フィルタ
１３    受信強度検出部
Ａ−ｐ      直列接続部分における前段側アンプ
Ａ−ｑ      直列接続部分における後段側アンプ
Ａ−ｘ      並列接続部分における前段側アンプ
Ａ−ｙ      並列接続部分における後段側アンプ
Ａ１〜Ａ１３            アンプ
Ｃ１〜Ｃ７              コンデンサ
Ｄ１〜Ｄ７、Ｄ          分配器
Ｆｔ１〜Ｆｔ３、Ｆｔ    高調波歪フィルタ
ＩＣ１〜ＩＣ８          チューナ用ＩＣ
Ｌ１〜Ｌ７              コイル
Ｍｓ                    マイクロストリップライン
Ｒｒ                    受信帯域
Ｓｒ                    希望信号
Ｓ１−ａ〜Ｓ１−ｅ      前段側アンプにより発生する歪
Ｓ２−ａ〜Ｓ２−ｆ      後段側アンプにより発生する歪
Ｓｗ                    スイッチ
【図１】
2015023334.tif 000003
【図２】
2015023334.tif 000004
【図７】
2015023334.tif 000005
【図８】
2015023334.tif 000006
【図９】
2015023334.tif 000007
【図１０】
2015023334.tif 000008
【図１１】
2015023334.tif 000009
【図１２】
2015023334.tif 000010
【図１３】
2015023334.tif 000011
【図１４】
2015023334.tif 000012
【図１５】
2015023334.tif 000013
【図３】
2015023334.tif 000014
【図４】
2015023334.tif 000015
【図５】
2015023334.tif 000016
【図６】
2015023334.tif 000017